(57)【特許請求の範囲】
【請求項１】
構造物に付着する水生付着生物を除去する水生付着生物除去方法であって、
パルスパワーをパルス放電により前記水生付着生物と前記構造物との付着界面の空隙部に作用させることを特徴とする水生付着生物除去方法。
【請求項２】
気中において前記パルスパワーをパルス放電により発生させる一対の電極は、前記水生付着生物または前記構造物に接触させた状態とする請求項１記載の水生付着生物除去方法。
【請求項３】
水中において前記パルスパワーをパルス放電により発生させる一対の電極は、前記構造物から離した状態とする請求項１記載の水生付着生物除去方法。
【請求項４】
前記一対の電極間の出力電圧は、電極間距離との関係から決定されることを特徴とする請求項２または３に記載の水生付着生物除去方法。
【請求項５】
構造物に付着する水生付着生物を除去する水生付着生物除去装置であって、
パルスパワーをパルス放電により発生させるパルスパワー発生器と、
前記パルスパワーをパルス放電により前記水生付着生物と前記構造物との付着界面の空隙部に作用させるための一対の電極と
を有する水生付着生物除去装置。
【発明の詳細な説明】
【技術分野】
【０００１】
本発明は、構造物に付着する水生付着生物、特に、アカフジツボ、イワフジツボ、シロスジフジツボやクロフジツボ等の甲殻類や、イガイ、ムラサキイガイ、ミドリイガイやマガキ等の軟体類等の水生付着生物を除去する水生付着生物除去方法および水生付着生物除去装置に関する。
【背景技術】
【０００２】
フジツボ、イガイやマガキ等の水生付着生物が発電所の取放水路壁面に付着すると、設備の冷却効率の低下などの問題が発生するため、定期的に水生付着生物の除去を行う。従来、この水生付着生物の除去は、取放水路内の水を抜いた後、ケレン棒で刮ぎ落とすことにより行われている。
【０００３】
従来、このような水生付着生物を除去する装置として、例えば特許文献１には、作業用クレーン車のブーム先端に、複数のアームを着脱自在に連結構成した水平アーム機構の基部アームを回動自在に連結し、この基部アームに昇降自在に垂設したスライドシャフトの先端に貝類掻き落としブラシまたは除去機構をスライド昇降自在になるように吊着するとともに、先端アームにはオペレーターが搭乗するオペレーター用バケットを吊下した伸縮アームを垂設し、貝類掻き落としブラシを回転し、オペレーターが貝類の付着および掻き落とし状況を視認しながら掻き落としおよび導水路内に堆積した貝類の除去を行うものが記載されている。
【０００４】
また、特許文献２には、昇降台にアームを取り付けるとともに、このアームの先端にリンク機構を介して首振り駆動可能とされるプレートを取り付けし、当該首振りプレートにはカッター手段を、揺動リンクを介して取り付けし、かつ揺動リンク部には回転カッターの壁面押圧姿勢における押圧作用線にほぼ沿う対角線上のリンク支点を連結するショックアブソーバーを設けた貝殻除去装置が記載されている。
【先行技術文献】
【特許文献】
【０００５】
【特許文献１】特開平６−３２０１２０号公報
【特許文献２】実公平６−１８６２６号公報
【発明の概要】
【発明が解決しようとする課題】
【０００６】
前述のように、従来、水生付着生物の除去は、ケレン棒で刮ぎ落とすことにより手作業で行われているが、水生付着生物は固着力が高く、除去作業には大きな労力が必要となっている。一方、特許文献１，２に記載のような大掛かりな装置の導入には大きな費用がかかることになる。
【０００７】
そこで、本発明においては、構造物に付着する水生付着生物を簡単に除去することが可能な水生付着生物除去方法および水生付着生物除去装置を提供することを目的とする。
【課題を解決するための手段】
【０００８】
本発明の水生付着生物除去方法は、パルスパワーをパルス放電により水生付着生物と構造物との付着界面の空隙部に作用させることを特徴とする。本発明によれば、水生付着生物と構造物との付着界面の空隙部に作用させたパルスパワーにより、付着界面の空隙部内の気体が絶縁破壊を生じてプラズマが生成され、気体が瞬間的な体積膨張を生じる。この体積膨張と、同時に発生する衝撃波が水生付着生物と構造物との付着界面に伝播することで、構造物との付着界面から水生付着生物が剥がれ落ち、除去される。
【０００９】
なお、気中においてパルスパワーをパルス放電により水生付着生物と構造物との付着界面の空隙部に作用させる場合には、一対の電極を水生付着生物または構造物に接触させた状態とすることが望ましい。これにより、パルスパワーが水生付着生物と構造物との付着界面の空隙部に作用し、付着界面の空隙部内の気体に絶縁破壊を生じさせることが可能となる。
【００１０】
また、水中においてパルスパワーをパルス放電により水生付着生物と構造物との付着界面の空隙部に作用させる場合には、一対の電極を構造物から離した状態とすることが望ましい。これにより、パルスパワーを水生付着生物と構造物との付着界面の空隙部に作用させ、付着界面の空隙部内の気体で絶縁破壊を生じさせることが可能となる。なお、水中においてパルスパワーを作用させる場合、パルスパワーは絶縁破壊電圧が低い気体に作用するため、水生付着生物と構造物との付着界面の空隙部だけでなく、構造物の空隙部にも作用し、構造物が破損することがある。
【００１１】
また、本発明の水生付着生物除去装置は、構造物に付着する水生付着生物を除去する水生付着生物除去装置であって、パルスパワーをパルス放電により発生させるパルスパワー発生器と、パルスパワーを水生付着生物と構造物との付着界面の空隙部に作用させるための一対の電極とを有するものである。この水生付着生物除去装置によれば、パルスパワーをパルス放電により水生付着生物と構造物との付着界面の空隙部に作用させることにより、上記のように構造物から水生付着生物を除去することが可能となる。
【発明の効果】
【００１２】
パルスパワーをパルス放電により水生付着生物と構造物との付着界面の空隙部に作用させることにより、構造物に付着する水生付着生物を低労力で簡単に除去することが可能となる。
【図面の簡単な説明】
【００１３】
【図１】本発明の実施の形態における水生付着生物除去装置の概略構成図である。
【図２】本発明の実施の形態における水生付着生物除去装置による水生生物の除去プロセスを示す説明図である。
【図３】フジツボが付着したコンクリート製ブロックを平面視した写真である。
【図４】図３を正面視した写真である。
【図５】図３のＶ−Ｖ断面を示すＸ線ＣＴ画像である。
【図６】図４のＶＩ−ＶＩ断面を示すＸ線ＣＴ画像である。
【図７】フジツボが付着した別のコンクリート製ブロックを平面視した写真である。
【図８】図７を正面視したＸ線ＣＴ画像である。
【図９】図７の縦断面を示すＸ線ＣＴ画像である。
【図１０】図７のフジツボの付着面を示すＸ線ＣＴ画像である。
【図１１】気中での作業イメージを示す説明図である。
【図１２】水中での作業イメージを示す説明図である。
【図１３】電極の配置例を示す説明図である。
【図１４】実験に用いた電極の先端形状を示す図である。
【図１５】マルクスの回路図である。
【図１６】気中環境下での実験結果を示すグラフである。
【図１７】気中環境下での実験状況を示す図である。
【発明を実施するための形態】
【００１４】
図１は本発明の実施の形態における水生付着生物除去装置の概略構成図である。
図１において、本発明の実施の形態における水生付着生物除去装置１は、パルスパワーをパルス放電により発生させるパルスパワー発生器２と、パルスパワー発生器２により発生させたパルスパワーをパルス放電により作用させるための一対の電極３（陽極３ａ、陰極３ｂ）とから構成される。パルスパワー発生器２は、電源２ａで発生させた電気をコンデンサ２ｂで一時的に貯蓄し、一対の電極３（陽極３ａ、陰極３ｂ）間において一瞬で放電する。
【００１５】
パルスパワーとは、パルス状の電力（パワー）のことであり、通常、時間的空間的に高度に圧縮された電磁エネルギーを瞬間的に放電することで得られる大電力（巨大エネルギー）のことをいう。得られるパワーは以下に示す式による。
0006479883.tif 000002
・・・式（１）
ここで、Ｐ：パワー［Ｗ］、Ｅ：エネルギー［Ｊ］、τ：放電時間［ｓ］であり、パワー［Ｗ］＝エネルギー［Ｊ］／時間［ｓ］＝電圧［Ｖ］×電流［Ａ］である。
【００１６】
また、エネルギーは、電圧とコンデンサ２ｂの容量によって決定され、以下の式により算出される。
0006479883.tif 000003
・・・式（２）
ここで、Ｅ：エネルギー［Ｊ］、Ｖ：電圧［ｋＶ］、Ｃ：コンデンサ容量［μＦ］である。
上式（１）および上式（２）により、エネルギーが小さい場合においても、パルスパワーのように短時間であれば極めて大きいパワーが得られる。
【００１７】
パルスパワーは、絶縁体である気体、液体、固体（ゴムやガラスなど）に絶縁破壊を生じさせることができる特徴を有している。絶縁破壊とは、絶縁体が持つ絶縁破壊電圧以上の電圧を印加させた場合において絶縁性能を失い、電流が流れる現象を示す。パルスパワー発生器２は、この絶縁破壊電圧以上の電圧を印加させることが可能となっている。絶縁破壊電圧は、気体、液体、固体の順に高くなることから、適切な電圧を印加すれば、固体および液体では絶縁破壊を生じさせずに、気体で絶縁破壊を生じさせることが可能となる。本実施形態における水生付着生物除去装置１は、この特徴を利用する。
【００１８】
図２は本実施形態における水生付着生物除去装置１による水生付着生物の除去プロセスを示す説明図である。図２（ａ）に示すように、水生付着生物除去装置１の一対の電極３（陽極３ａ、陰極３ｂ）を構造物４に付着した水生付着生物５、または、水生付着生物５が付着している構造物４に当て、パルスパワー発生器２により気体のみで絶縁破壊を生じるように発生させたパルスパワーを一対の電極３（陽極３ａ、陰極３ｂ）から作用させると、パルスパワーは、同図（ｂ）に示すように、水生付着生物５と構造物４との付着界面の空隙部６に作用する。
【００１９】
このとき、水生付着生物５と構造物４との付着界面の空隙部６内の気体が絶縁破壊を生じてプラズマが生成され、空隙部６内の気体が瞬間的な体積膨張を生じる。この体積膨張と、同時に発生する衝撃波が水生付着生物５と構造物４との付着界面に伝播することで、水生付着生物５が破砕され、同図（ｃ）に示すように、構造物４との付着界面から水生付着生物５が剥がれ落ち、除去される。
【００２０】
図３は水生付着生物５としてのフジツボが付着した構造物４としてのコンクリート製ブロックを平面視した写真であり、図４は図３を正面視した写真である。図５は図３のＶ−Ｖ断面を示すＸ線ＣＴ画像、図６は図４のＶＩ−ＶＩ断面を示すＸ線ＣＴ画像である。また、図７はフジツボが付着した別のコンクリート製ブロックを平面視した写真、図８は図７を正面視したＸ線ＣＴ画像、図９は図７の縦断面を示すＸ線ＣＴ画像、図１０は図７のフジツボの付着面を示すＸ線ＣＴ画像である。
【００２１】
図５、図６、図９および図１０に現れる黒色に近い濃い灰色の部分は、フジツボとコンクリート製ブロックとの付着界面およびフジツボ内部に存在する空隙部である。水生付着生物除去装置１からパルスパワーをパルス放電により作用させると、空隙部内の気体が絶縁破壊を生じてプラズマが生成され、この空隙部内の気体が瞬間的な体積膨張を生じ、同時に衝撃波が発生する。この体積膨張と衝撃波がフジツボとブロックとの付着界面に伝播することで、フジツボは除去される。
【００２２】
なお、気中においてパルスパワーをパルス放電により作用させる際には、図２に示すように、一対の電極３（陽極３ａ、陰極３ｂ）を水生付着生物５または構造物４に接触させるが、水中においてパルスパワーを作用させる際には、一対の電極３を構造物４から離した状態にする。
【００２３】
図１１は気中での作業イメージを示す説明図、図１２は水中での作業イメージを示す説明図である。図１１に示すように、発電所の取放水路１０の壁面１０ａのフジツボ１１を除去する場合、取放水路１０の抜水後、壁面１０ａのフジツボ１１表面がほぼ乾いた状態で、一対の電極３（陽極３ａ、陰極３ｂ）をフジツボ１１に接触させてパルスパワーをパルス放電により作用させるようにする。一方、図１２に示すように、水中で作業する場合には、取放水路１０の抜水はせずに、一対の電極３（陽極３ａ、陰極３ｂ）を取放水路１０の壁面１０ａから離したうえで、パルスパワーをパルス放電により作用させるようにする。
【００２４】
なお、上記実施形態における一対の電極３の陽極３ａおよび陰極３ｂは、図１３（ａ）に示すように点電極を構造物４の表面に対して垂直に設置し、一定の距離を持って配置させたものであるが、同図（ｂ）に示すように、陽極３ａを点電極、陰極３ｂを線電極としたり、同図（ｃ）に示すように、陽極３ａおよび陰極３ｂをともに線電極としたりすることも可能である。
【実施例】
【００２５】
上記水性付着生物除去装置１による水生付着生物除去実験を、水中および気中においてそれぞれ実施した。
【００２６】
＜電極の先端形状＞
パルスパワーを放電するための電極として、ポリエチレン（絶縁物）被膜された直径５ｍｍの銅線を使用した。また、水中および気中において、それぞれ図１４に示すような電極の先端形状とし、電極先端付近のポリエチレン被膜を取り除き、銅線を１ｃｍ程度露出したものに鋼製の電極カバーを取り付けた。なお、銅線はむき出しとしても良い。
【００２７】
＜電極の設置方法＞
水中および気中において、電極の設置方法は以下の通りとした。
水中においては、電極先端はフジツボもしくは母材コンクリートから離す。電極先端を接触させたままパルスパワーをパルス放電により作用すると、母材コンクリートが損傷する可能性が高い。
気中においては、電極先端はフジツボもしくは母材コンクリートに接触させる。
【００２８】
＜パルス発生回路＞
本実験では、マルクスバンク方式のパルス発生回路を用いた。
マルクスバンク方式（図１５参照。）とは、Ｎ個のコンデンサを充電時は並列充電し、放電時にはコンデンサ間につながれたギャップスイッチにより瞬時に直列接続とするものである。このとき、充電電圧Ｖに対し、Ｎ×Ｖの出力電圧が得られるため、低い充電電圧で高い出力電圧が得られる。
【００２９】
＜実験方法＞
（Ａ）全般
電圧（Ｖ）とマルクスバンク方式のパルス発生回路におけるコンデンサ容量および個数（Ｃ）、一対の陽極と陰極との電極間距離（Ｌ）、母材コンクリートから電極までの距離（Ｈ）を変化させて、母材コンクリートを損傷させずに水生付着生物が除去可能な条件を検討した。なお、気中においては電極を水生付着生物または母材コンクリートに接触させた状態で実施した。
パルス放電を作用させた場合に、水生付着生物が除去可能か否かの判定は、「放電回数５回以内でフジツボが除去可能で放電１００回でも母材コンクリートが損傷しないこと」とした。
【００３０】
パルス発生回路は前述のマルクスバンク方式を使用した。コンデンサの容量と個数の組み合わせは以下の４通りである。
・コンデンサ容量０．８μＦでコンデンサ個数１０個
・コンデンサ容量０．２μＦでコンデンサ個数１０個
・コンデンサ容量０．８μＦでコンデンサ個数２個
・コンデンサ容量０．２μＦでコンデンサ個数２個
【００３１】
（Ｂ−１）水中実験１
（Ｂ−１−１）目的
コンデンサ容量０．８μＦのコンデンサを用いた場合の水中での水生付着生物除去の可否検討。
【００３２】
（Ｂ−１−２）内容
・電源からの充電電圧は２５ｋＶとした。
・コンデンサの容量は０．８μＦ、個数は１０個とした。
・陽極と陰極間での出力電圧は２５０ｋＶとした。
・電極間距離は２５ｃｍ、２０ｃｍとした。
・電極先端から母材コンクリートまでの距離は３ｃｍとした。
・水生付着生物除去の可否の判定は「５回以内の放電でフジツボが除去可能であり、１００回の放電でも母材コンクリートが損傷しないこと」とした。
【００３３】
（Ｂ−１−３）結果
・実験結果を表１に示した。
・水中において、パルスパワーをパルス放電により作用させ、母材コンクリートを損傷させずにフジツボが除去できた。
【００３４】
【表１】
0006479883.tif 000004
【００３５】
（Ｂ−２）水中実験２
（Ｂ−２−１）目的
上記（Ｂ−１）水中実験１とはコンデンサの容量が異なる０．２μＦのコンデンサを用いた場合の水中でのフジツボ除去の可否検討。
【００３６】
（Ｂ−２−２）内容
・電源からの充電電圧は３０ｋＶ、４０ｋＶとした。
・コンデンサの容量は０．２μＦ、個数は１０個とした。
・陽極と陰極間での出力電圧は３００ｋＶ、４００ｋＶとした。
・電極間距離は１０、１５ｃｍとした。
・電極先端から母材コンクリートまでの距離は２ｃｍ、０ｃｍ（０ｃｍは陰極のみ）とした。
・水生付着生物除去の可否の判定は「５回以内の放電でフジツボが除去可能であり、１００回の放電でも母材コンクリートが損傷しないこと」とした。
【００３７】
（Ｂ−２−３）結果
・実験結果を表２に示した。
・コンデンサ容量０．２μＦのコンデンサを用いて、水中においてパルスパワーをパルス放電により作用させることで、母材コンクリートを損傷させずにフジツボが除去できた。
・電極間距離１０ｃｍもしくは１５ｃｍの場合、陽極、陰極ともにフジツボもしくは母材コンクリートから２ｃｍ離すことで母材コンクリートを傷めずに、フジツボを除去できた。
・陰極を母材に接触させ、パルス放電を作用させた場合、母材コンクリートの表層が損傷した。
【００３８】
【表２】
0006479883.tif 000005
【００３９】
（Ｃ−１）気中実験１
（Ｃ−１−１）目的
・０．２μＦのコンデンサを用いた場合における気中でのフジツボ除去の可否検討。
【００４０】
（Ｃ−１−２）内容
・電源からの充電電圧は４０ｋＶとした。
・コンデンサの容量は０．２μＦ、個数は１０個とした。
・陽極と陰極間での出力電圧は４００ｋＶとした。
・電極間距離は２０、２５ｃｍとした。
・陽極、陰極共に先端はフジツボもしくは母材コンクリートに接触させた。
・水生付着生物除去の可否の判定は「５回以内の放電でフジツボが除去可能であり、１００回の放電でも母材コンクリートが損傷しないこと」とした。
【００４１】
（Ｃ−１−３）結果
・実験結果を表３および図１６に示した。
・コンデンサ容量０．２μＦのコンデンサを用いて、気中において、パルスパワーをパルス放電により作用させ、母材コンクリートを損傷させずにフジツボが除去できた。
【００４２】
【表３】
0006479883.tif 000006
【００４３】
（Ｃ−２）気中実験２
（Ｃ−２−１）目的
・上記（Ｃ−１）気中実験１とは容量が異なるコンデンサ容量０．８μＦを用いた場合の気中でのフジツボ除去の検討。
【００４４】
（Ｃ−２−２）内容
・電源からの充電電圧は２０ｋＶ、３０ｋＶとした。
・コンデンサの容量は０．８μＦ、個数は１０個とした。
・陽極と陰極間での出力電圧は２００ｋＶ、３００ｋＶとした。
・電極間距離は１５ｃｍとした。
・陽極、陰極共に先端はフジツボもしくは母材コンクリートに接触させた。
・水生付着生物除去の可否の判定は「５回以内の放電でフジツボが除去可能であり、１００回の放電でも母材コンクリートが損傷しないこと」とした。
【００４５】
（Ｃ−２−３）結果
・実験結果を表４および図１６に示した。
・コンデンサ容量０．８μＦのコンデンサを用いて、気中においてパルスパワーをパルス放電により作用させることで、母材コンクリートを損傷させずにフジツボが除去できた。
【００４６】
【表４】
0006479883.tif 000007
【００４７】
（Ｃ−３）気中実験３
（Ｃ−３−１）目的
・出力電圧１００ｋＶでのフジツボ除去の可否確認。
【００４８】
（Ｃ−３−２）内容
・電源からの充電電圧は１０ｋＶとした。
・コンデンサの容量は０．２μＦ、個数は１０個とした。
・陽極と陰極間での出力電圧は１００ｋＶとした。
・電極間距離は５ｃｍとした。
・水生付着生物除去の可否の判定は「５回以内の放電でフジツボが除去可能であり、１００回の放電でも母材コンクリートが損傷しないこと」とした。
【００４９】
（Ｃ−３−３）結果
・実験結果を表５および図１６に示した。
・コンデンサ容量０．２μＦ、１０個のコンデンサを用いた場合、出力電圧１００ｋＶ、電極間距離５ｃｍで母材コンクリートを損傷させずに、フジツボが除去できた。
【００５０】
【表５】
0006479883.tif 000008
【００５１】
（Ｃ−４）気中実験４
（Ｃ−４−１）目的
・出力電圧１００ｋＶ以下でのフジツボ除去が可能な条件の検討。
【００５２】
（Ｃ−４−２）内容
・電源からの充電電圧は１５ｋＶ、２０ｋＶ、２５ｋＶ、３０ｋＶ、３５ｋＶ、４０ｋＶ、４５ｋＶとした。
・コンデンサの容量は０．８μＦ、個数は２個とした
・コンデンサの容量は０．２μＦ、個数は２個とした。
・陽極と陰極間での電位差（出力電圧）は３０ｋＶ、４０ｋＶ、５０ｋＶ、６０ｋＶ、７０ｋＶ、８０ｋＶ、９０ｋＶとした。
・電極間距離は３ｃｍ、５ｃｍ、７ｃｍ、９ｃｍ、１１ｃｍ、１３ｃｍ、１５ｃｍとした。
・水生付着生物除去の可否の判定は「５回以内の放電でフジツボが除去可能であり、１００回の放電でも母材コンクリートが損傷しないこと」とした。
【００５３】
（Ｃ−４−３）結果
・コンデンサの容量０．８μＦ、コンデンサの個数２個の場合における結果を表６、コンデンサの容量０．２μＦ、コンデンサの個数２個における結果を表７および図１６に示した。また、実験状況を図１７に示した。
・コンデンサ容量０．８μＦのコンデンサを２個用いた場合、出力電圧１００ｋＶ以下でフジツボが除去できた。
・コンデンサ容量０．２μＦのコンデンサを２個用いた場合、出力電圧１００ｋＶ以下でフジツボが除去できた。
・出力電圧の増加に伴い、フジツボが除去できる距離が長くなった。
・パルスパワーをパルス放電により作用させ、フジツボを除去する場合、陽極と陰極の間でパルス放電が生じれば、フジツボを除去できた。
・表６および表７のフジツボ除去の欄において「×」は陽極と陰極の間でパルス放電が生じなかったため、フジツボが除去できなかった。
・パルスパワーをパルス放電により作用させた場合、フジツボが除去できる出力電圧とコンデンサ容量、個数と電極間距離との関係性は１次直線で近似可能である。
・コンデンサの容量０．８μＦ、２個の場合における、フジツボが除去できる出力電圧とコンデンサ容量、個数と電極間距離との関係性の１次近似式はｙ≧５ｘ＋２５であった（ｙは出力電圧（ｋＶ）、ｘは電極間距離（ｃｍ））。
・また、コンデンサの容量０．２μＦ、２個の場合におけるフジツボが除去できる出力電圧とコンデンサ容量、個数と電極間距離との関係性の１次近似式はｙ≧５ｘ＋２５であった。（ｙは出力電圧（ｋＶ）、ｘは電極間距離（ｃｍ））。
・上記のように、コンデンサ容量、個数に関わらず、フジツボが除去できる出力電圧と電極間距離の関係性の近似式は同一となった。
【００５４】
【表６】
0006479883.tif 000009
※「×」は陽極と陰極の間でパルス放電が生じなかったため、フジツボが除去できなかった条件である。
【００５５】
【表７】
0006479883.tif 000010
※「×」は陽極と陰極の間でパルス放電が生じなかったため、フジツボが除去できなかった条件である。
【００５６】
（Ｃ−５）気中実験５
（Ｃ−５−１）目的
・上記（Ｃ−４）気中実験４で得られたパルスパワーをパルス放電により作用させた場合にフジツボが除去できる出力電圧と電極間距離の関係性の１次近似式であるｙ≧５ｘ＋２５の妥当性の確認。
【００５７】
（Ｃ−５−２）内容
・電源からの充電電圧は１５ｋＶ、１８ｋＶとした。
・コンデンサの容量は０．２μＦ、個数は１０個とした。
・陽極と陰極間での出力電圧は１５０ｋＶ、１８０ｋＶとした。
・電極間距離は、上記の近似式  ｙ≧５ｘ＋２５  より算出し、２５ｃｍと３１ｃｍとした。
出力電圧１５０ｋＶにおいて、１５０＝５ｘ＋２５
ｘ＝２５ｃｍ
出力電圧１８０ｋＶにおいて、１８０＝５ｘ＋２５
ｘ＝３１ｃｍ
・フジツボ除去の可否の判定は「５回以内の放電でフジツボが除去可能であり、１００回の放電でも母材コンクリートが損傷しないこと」とした。
【００５８】
（Ｃ−５−３）結果
・実験結果を表８および図１６に示した。
・出力電圧１５０ｋＶ、電極間距離２５ｃｍで、陽極と陰極間においてパルス放電が生じた。この時、フジツボが除去でき、母材コンクリートは損傷しなかった。
・出力電圧１８０ｋＶ、電極間距離３１ｃｍで、陽極と陰極間においてパルス放電が生じた。この時、フジツボが除去でき、母材コンクリートは損傷しなかった。
・パルスパワーをパルス放電により作用させた場合に、出力電圧と電極間距離の関係性の１次近似式ｙ≧５ｘ＋２５より得られた出力電圧と電極間距離において、フジツボが除去できた。すなわち、一対の電極間の出力電圧ｙは、電極間距離ｘとの関係から決定することが可能である。
【００５９】
【表８】
0006479883.tif 000011
【産業上の利用可能性】
【００６０】
本発明の水生付着生物除去方法および水生付着生物除去装置は、構造物に付着する水生付着生物、特に、アカフジツボ、イワフジツボ、シロスジフジツボやクロフジツボ等の甲殻類や、イガイ、ムラサキイガイ、ミドリイガイやマガキ等の軟体類等の水生付着生物を除去する方法および装置として有用である。
【符号の説明】
【００６１】
１  水生付着生物除去装置
２  パルスパワー発生器
２ａ  電源
２ｂ  コンデンサ
３  電極
３ａ  陽極
３ｂ  陰極
４  構造物
５  水生付着生物
６  空隙部
【図１】
0006479883.tif 000012
【図２】
0006479883.tif 000013
【図３】
0006479883.tif 000014
【図４】
0006479883.tif 000015
【図５】
0006479883.tif 000016
【図６】
0006479883.tif 000017
【図７】
0006479883.tif 000018
【図８】
0006479883.tif 000019
【図９】
0006479883.tif 000020
【図１０】
0006479883.tif 000021
【図１１】
0006479883.tif 000022
【図１２】
0006479883.tif 000023
【図１３】
0006479883.tif 000024
【図１４】
0006479883.tif 000025
【図１５】
0006479883.tif 000026
【図１６】
0006479883.tif 000027
【図１７】
0006479883.tif 000028